(57)【特許請求の範囲】
【請求項１】
天板と、脚体と、これら天板と脚体とを固定する固着手段とからなるテーブルにあって、
前記脚体は、高さ方向において二つ折れとなる第一脚および第二脚と、これら第一脚および第二脚を折曲自在に接続させた中間蝶番と、前記第一脚と前記天板の主体裏面とを折曲自在に接続させる第一蝶番と、前記第二脚と前記天板の主体裏面とを折曲自在に接続させる第二蝶番とからなり、
前記固着手段は、前記天板における主体の複数箇所に埋設しためねじ体と、前記第二蝶番に穿設させた通孔を介して、前記めねじ体に螺合するおねじ体とからなり、
前記固着手段において、おねじ体の、めねじ体への取付位置の選択的変更により、脚体の脚高さが変更されることを特徴とするテーブル。
【請求項２】
天板と、脚体と、これら天板と脚体とを固定する固着手段とからなるテーブルにあって、
前記脚体は、高さ方向において二つ折れとなる第一脚および第二脚と、これら第一脚および第二脚を折曲自在に接続させた中間蝶番と、前記第一脚と前記天板の主体裏面とを折曲自在に接続させる第一蝶番と、前記第二脚と前記天板の主体裏面とを折曲自在に接続させる第二蝶番と、前記第一脚に設けて該第一脚の長さを調整する調整手段とからなり、
前記固着手段は、前記天板における主体の複数箇所に埋設しためねじ体と、前記第二蝶番に穿設させた通孔を介して、前記めねじ体に螺合するおねじ体とからなり、
前記固着手段において、おねじ体の、めねじ体への取付位置の選択的変更により、脚体の脚高さが変更されるものであり、
前記調整手段は、前記第一脚の内部が空洞となるパイプ鞘状に形成して、この空洞部に摺動脚を進退自在に挿嵌して、この摺動脚を所定長さに繰り出したとき、その繰出位置を固定する止着手段を設けたことを特徴とするテーブル。
【発明の詳細な説明】
【０００１】
【産業上の利用分野】
本発明は、屋内外において、簡単に組み立てて使用することができるテーブルに関する。
【０００２】
【従来の技術】
従来、屋内外において、例えば、アウトドアーなどで、食卓や筆記あるいは一時的な物品の載置等に使用する組立自在のテーブルは、種々のものが市場提供されている。
【０００３】
しかしながら、これらの多くは、天板に対して脚が折り畳み自在に設けられているだけであるため、この脚を折り畳んだときは、コンパクトになって持ち運びや収納に便利となるものであるが、前記脚を開いて組み立てたときの脚高さは一定となるため、椅子を用いたときのテーブルと、椅子を用いない座したとき（正座やあぐら時）のテーブルとの高さの異なる二種類のものを用意しなければならない。
【０００４】
したがって、この二種類のテーブルを用意するときは、甚だ不経済であると共に、非使用時の収納にかさばって、不都合を来すと共に、アウトドアーにおいて使用のために携帯するときは、この二種類のテーブルを持っていかなければならないので、面倒であった。
【０００５】
【発明が解決しようとする課題】
本発明は前記した問題点を解決するためになされたもので、天板と、脚体と、これら天板と脚体とを着脱自在に固定する固着手段とからなり、脚体は、天板への取り付けに際して、固着手段による取付位置の選択的変更することにより、脚高さを変えることができて、椅子用テーブルと座テーブルとの兼用使用ができると共に、非使用時にコンパクトに収納することができるテーブルを提供することを目的としている。
【０００６】
【課題を解決するための手段】
前記した目的を達成するための本発明は、
天板と、脚体と、これら天板と脚体とを固定する固着手段とからなるテーブルにあって、
前記脚体は、高さ方向において二つ折れとなる第一脚および第二脚と、これら第一脚および第二脚を折曲自在に接続させた中間蝶番と、前記第一脚と前記天板の主体裏面とを折曲自在に接続させる第一蝶番と、前記第二脚と前記天板の主体裏面とを折曲自在に接続させる第二蝶番とからなり、
前記固着手段は、前記天板における主体の複数箇所に埋設しためねじ体と、前記第二蝶番に穿設させた通孔を介して、前記めねじ体に螺合するおねじ体とからなり、
前記固着手段において、おねじ体の、めねじ体への取付位置の選択的変更により、脚体の脚高さが変更されるテーブルの構成にある。
【０００７】
そして、
天板と、脚体と、これら天板と脚体とを固定する固着手段とからなるテーブルにあって、
前記脚体は、高さ方向において二つ折れとなる第一脚および第二脚と、これら第一脚および第二脚を折曲自在に接続させた中間蝶番と、前記第一脚と前記天板の主体裏面とを折曲自在に接続させる第一蝶番と、前記第二脚と前記天板の主体裏面とを折曲自在に接続させる第二蝶番と、前記第一脚に設けて該第一脚の長さを調整する調整手段とからなり、
前記固着手段は、前記天板における主体の複数箇所に埋設しためねじ体と、前記第二蝶番に穿設させた通孔を介して、前記めねじ体に螺合するおねじ体とからなり、
前記固着手段において、おねじ体の、めねじ体への取付位置の選択的変更により、脚体の脚高さが変更されるものであり、
前記調整手段は、前記第一脚の内部が空洞となるパイプ鞘状に形成して、この空洞部に摺動脚を進退自在に挿嵌して、この摺動脚を所定長さに繰り出したとき、その繰出位置を固定する止着手段を設けたテーブルの構成にある。
【０００９】
【実施例】
次に、本発明に関するテーブルの一実施例を図面に基づいて説明する。
図１および図４，図６，図８，図１０〜図１２においてＡはテーブルで、持ち運び自在で、かつ、組立自在となるもので、天板１と、脚体２と、これら天板１と脚体２とを固定する固着手段３とからなる。
【００１０】
そして、本発明の一例を図１〜図６に基づいて説明すると、前記した天板１は、合成樹脂等により成形してあって、図２に示すように、物品を載置する略矩形で平板状の主体４と、この主体４の周縁部に該周縁部から垂下するように付設した、左右の木口となる取付体５ａ，５ｂ、および、前後の側端部となる取付体５ｃ，５ｄとからなるもので、内部が空洞状となり、その断面は、冂状に形成される。
【００１１】
また、この天板１の表面には、丸太を所定厚に製材した自然一枚木板風の木理を形成してあり、しかも、主体４の長さ方向に対しては、丸太木材の末口と元口状となる台形状に成形することで、一層天然木の趣向が得られ、更に、前後の側端部となる取付体５ｃ，５ｄに丸太木材の木肌状の凹凸を設けることで、一層の立体感も得られる。
【００１２】
前記した脚体２は、合成樹脂等により成形してあって、図３に示すように、長辺枠体６と、この長辺枠体６と略直交して、端部を連結した短辺枠体７とによる略Ｌ字状に形成されているものであって、これら長辺枠体６と短辺枠体７とのそれぞれの表側面は、天板１における主体４の裏面に馴染む平滑状に形成してあると共に、これら表面には、天板１のように自然木板風の木理を形成することもある。
なお、この長辺枠体６と短辺枠体７とは、筋違いとなる補強枠体８により、その他側部が接続されている。
【００１３】
また、この脚体２は、図１および図４に示すように、天板１における主体４の左右方向に対して、対称的に一対を設けるもので、図１および図３（ｂ）に示すように、主体４の前後方向に対して略全体に渡るような幅広に設けたり、図３（ａ）に示すように、幅狭に設けて主体４の前後方向に対して複数組み並べて設けたりする。
【００１４】
前記した固着手段３は、図２における拡大図、および図５に示すように、天板１における主体４の複数箇所に埋設しためねじ９ａを有するめねじ体９と、脚体２における長辺枠体６および短辺枠体７の複数箇所に穿設させた通孔１０を介して、めねじ体９に螺合するおねじ１１ａを有するおねじ体１１とからなる。
なお、主体４のめねじ体９は、脚体２に設けた多数個の通孔１０に対応する個数に設けられているもので、該めねじ体９の埋設位置は脚体２の取付位置に対応しており、更には、長辺枠体６と短辺枠体７とのそれぞれの通孔１０は、長辺枠体６と短辺枠体７とを付け替えたとき、主体４のめねじ体９の埋設位置を兼用使用できるように穿設位置を統一しておけば合理的である。
【００１５】
この固着手段３により、天板１における主体４の裏面に対して、脚体２における長辺枠体６と短辺枠体７とが選択的に当接することで脚長さが変更されるものである。
【００１６】
すなわち、この一例のテーブルＡにあっては、図４（ａ）に示すように、天板１における主体４の裏面へ、一対の脚体２における長辺枠体６を当接させて短辺枠体７を脚部とし、固着手段３により固着するもので、おねじ体１１を脚体２の通孔１０へ挿し通し、主体４に埋設しためねじ体９のめねじ９ａへ、該おねじ１１ａを螺合し緊締すると、天板１と脚体２とが固定されるもので、脚体２のそれぞれの通孔１０に対しても、同様に固着手段３を施す。
【００１７】
このテーブルＡを床や地面ｅ等に載置したとき、テーブル面までの高さは比較的低いＨ１となって、床や地面等ｅへ尻を降ろして正座やあぐら等により座ったとき用いる座テーブルＡとなる。
【００１８】
また、図４（ｂ）に示すように、長辺枠体６と短辺枠体７とを付け替えて、天板１における主体４の裏面へ、一対の脚体２における短辺枠体７を当接させて長辺枠体６を脚部とし、固着手段３により固着するもので、おねじ体１１を脚体２の通孔１０へ挿し通し、主体４に埋設しためねじ体９のめねじ９ａへ、該おねじ１１ａを螺合し緊締すると、天板１と脚体２とが固定されるもので、脚体２のそれぞれの通孔１０に対しても、同様に固着手段３を施す。
【００１９】
このテーブルＡを床や地面等ｅに載置したとき、テーブル面までの高さは比較的高いＨ２となって、床や地面等ｅに設置した椅子１２に座ったとき用いる椅子テーブルＡや立食用のテーブルＡとなるもので、これら脚高さは、Ｈ１＜Ｈ２となる。
【００２０】
なお、図６に示すように、脚体２には、脚長さを調整することができる調整手段１３を付設することもできる。
すなわち、脚体２の長辺枠体６または短辺枠体７、あるいはその両枠体６，７に対して、これら長辺枠体６と短辺枠体７とを内部が空洞となるパイプ鞘状に形成して、この空洞部に所定長さの摺動脚６ａ，７ａを進退自在に挿嵌してあり、この摺動脚６ａ，７ａを所定長さに繰り出したとき、その繰出位置を止着手段１４により固定する。
【００２１】
この止着手段１４は、図６において拡大して示すように、摺動脚６ａ，７ａの引き出し方向において、複数箇所に埋設しためねじ１５ａを有するめねじ体１５と、長辺枠体６と短辺枠体７との複数箇所に穿設させた通孔１６を介して、めねじ体１５に螺合するおねじ１７ａを有するおねじ体１７とからなる。
なお、通孔１６は、長辺枠体６と短辺枠体７とにおける摺動脚６ａ，７ａの引き出し方向において穿設した長孔であっても構わない。
更に、この止着手段１４は、図示してないが、摺動脚６ａ，７ａのピン孔へ、長辺枠体６と短辺枠体７とに穿設した通孔を介して、抜け止めを設けたピンを抜き差し自在に挿嵌させる固定であっても構わない。
【００２２】
次に、本発明実施例を図７〜図１１を参照して説明する。脚体２が高さ方向において二つ折れすることで、その脚体２２の脚高さを変更することができるもので、天板１と、脚体２２と、固着手段３３とにより基本的に構成される。
【００２３】
このうち、前記した天板１は、前記した一例のものと同様に構成されるもので、その詳細な説明は省略し、かつ、同一の符号を付す。
【００２４】
そして、前記した脚体２２は、天板１と同様に合成樹脂や軽量金属等により成形してあって、図７および図８に示すように、脚高さの高さ方向において二つ折れとなる第一脚２３および第二脚２４と、これら第一脚２３および第二脚２４を折曲自在に接続させた中間蝶番２５と、第一脚２３と天板１の主体４裏面とを折曲自在に接続させる第一蝶番２６と、第二脚２４と天板１の主体４裏面とを折曲自在に接続させる第二蝶番２７とからなる。
なお、この脚体２２は、図９に示すように、天板１における主体４の左右方向に対して、対称的に一対を設けるもので、図示してないが、主体４の前後方向に対して略全体に渡るような幅広に設けたり、幅狭に設けて主体４の前後方向に対して複数組み並べて設けたりする。
【００２５】
前記した固着手段３３は、図８において拡大して示すように、天板１における主体４の複数箇所に埋設しためねじ３４ａを有するめねじ体３４と、第二蝶番２７に穿設させた通孔３５を介して、めねじ体３４に螺合するおねじ３６ａを有するおねじ体３６とからなる。
【００２６】
なお、天板１における主体４に埋設しためねじ体３４は、図９に示すように、該主体４の長さ方向に対して所定ピッチで複数箇所に設けてあるもので、これらめねじ体３４へのおねじ体３６の選択的な付け替えにより、脚体２２の脚高さを変更できたり、脚体２２全体そのものを天板１における主体４内へ収容させたりできる。
【００２７】
すなわち、図１０（ａ）に示すように、固着手段３３による脚体２２の固定にあって、▲１▼の位置のめねじ体３４へおねじ体３６を螺合した場合は、脚体２２における第一脚２３が主体４の下面から、略垂直に垂下し、第二脚２４が中間蝶番２５から斜めに折れ曲がる直角三角形状をなして、脚高さＨ３を構成する。
【００２８】
また、図１０（ｂ）に示すように、▲３▼の位置のめねじ体３４へおねじ体３６を螺合した場合は、脚体２２における第一脚２３と第二脚２４とが中間蝶番２５を中心として略等角に折れ曲がる略二等辺直角三角形状をなして、脚高さＨ４を構成する。
【００２９】
更に、図１０（ｃ）に示すように、▲４▼の位置のめねじ体３４へおねじ体３６を螺合した場合は、脚体２２における第一脚２３と第二脚２４とが、天板１の主体４裏面と略平行となって、天板１の周縁部から張り出す取付体５ａ，５ｂ，５ｃ，５ｄ内に納まった収納状態となると共に、脚高さＨ５を構成する。
【００３０】
このように、主体４に埋設しためねじ体３４に対するおねじ体３６の螺合位置を選択的に変換させることで、異なる脚体２２の脚高さを得ることができる。
【００３１】
また、脚体２２における第一脚２３には、図１１に示すように、その脚長さを調整することができる調整手段１３を採用することができるもので、基本的構成は前記した一例において示した手段と同様である。
すなわち、脚体２の第一脚２３の内部が空洞となるパイプ鞘状に形成して、この空洞部に所定長さの摺動脚２３ａを進退自在に挿嵌してあり、この摺動脚２３ａを所定長さに繰り出したとき、その繰出位置を止着手段３７により固定するもので、この止着手段３７は、一例の場合（図６参照）と同様の構成を採用する。また、第一実施例の場合と同様に、ピン孔と抜き差し自在のピンを用いた固定であっても構わない。
【００３２】
なお、他の例として、図１２に示すように、天板１と、脚体２と、これら天板１と脚体２とを固定する固着手段３とからなるテーブルＡにあって、天板１は、物品を載置する主体４と、この主体４の周縁部に付設した取付体５ａ，５ｂ，５ｃ，５ｄとからなり、脚体２は、天板１へ固着手段３により着脱自在に取り付けた構成も採用することができる。
【００３３】
この例にあって、固着手段３は、めねじ体９とおねじ体１１とからなるものであり、図１２に示すように、隣り合う天板１，１の取付体５ａおよび５ｂを当接した後、この固着手段３の共締めにより両者１，１を連結して、テーブルＡを延長させることができる。
【００３４】
このとき、隣り合う天板１，１は、その主体４の大きさを、一方のものを他方のものより小さく（大きく）成形しておけば、収納に際して、小さい天板１が大きい天板１内に嵌り込んで、全体形状がコンパクトになる。
すなわち、図１３に示すように、天板１ａ，１ｂ，１ｃは、それぞれの長さ方向および幅方向の寸法を、１ａ＞１ｂ＞１ｃとなるように、成形しておけば、これら天板１ａ，１ｂ，１ｃを大きい順に積み重ねることで、コンパクトにすることができ携帯に収納に便利である。
【００３５】
また、図１３（ａ）に示すように、複数の天板１ａ，１ｂ…を用いて長さ方向に延長した大きなテーブルとするときは、元口から末口までの一本の木材から製材したように見えるように天板１ａ，１ｂ…をそれぞれ一連状に合わせて形成して、かつ、天板１ａ，１ｂ…の表面に形成した木理が、隣り合う天板１ａ，１ｂ…同士それぞれつながるように設けることで、一層、外観的に一枚の無垢板の感じが得られる。
【００３６】
更に、取付体５ａ，５ｂ，５ｃ，５ｄの厚さｔを比較的厚く形成することで、一枚板様の重厚な外観を呈することができる。
【００３７】
【発明の効果】
前述のように構成される本発明は、天板に対して脚体を着脱自在に設けることで、脚高さが変更できて一台で兼用使用できるため、屋外等への携帯に際して、使用する目的や場所に応じて希望するテーブル高さが得られる。
構造が簡単で持ち運びを容易に行うことができるので、携帯に便利であると共に、収納時にあっては、場所を取らない。等の格別な効果を奏するものである。
【図面の簡単な説明】
【図１】本発明のテーブルの一例を示す斜視図である。
【図２】図１における天板の一部を破断して示す斜視図である。
【図３】図１における脚体の各例を示す斜視図である。
【図４】図１におけるテーブルの使用状態の各例を示す正面図である。
【図５】図１におけるテーブルの固着手段を示す要部の断面図である。
【図６】図１におけるテーブルに用いた調整手段を示す要部の断面図である。
【図７】本発明のテーブルの一実施例を示す脚体の斜視図である。
【図８】図７におけるテーブルの要部を示す断面図である。
【図９】図７における天板を示す背面図である。
【図１０】図７におけるテーブルの使用状態の各例を示す正面図である。
【図１１】図７におけるテーブルに用いた調整手段を示す要部の断面図である。
【図１２】本発明のテーブルの他の例を示すテーブルを示すもので、（ａ）は概略の正面図、（ｂ）は斜視図である。
【図１３】本発明の一例のテーブルを複数に連結して用いる例を示すもので、（ａ）は天板の斜視図を、（ｂ）は積み重ねて収納した状態をそれぞれ示す。
【符号の説明】
Ａ        テーブル
１        天板
２，２２  脚体
３，３３  固着手段
４        主体
５ａ，５ｂ，５ｃ，５ｄ  取付体
６        長辺枠体
７        短片枠体
９        めねじ体
１０，３５  通孔
１１      おねじ体
１３      調整手段
２３      第一脚
２４      第二脚
２５      中間蝶番
２６      第一蝶番
２７      第二蝶番
【図１】
0003623691.tif 000002
【図２】
0003623691.tif 000003
【図３】
0003623691.tif 000004
【図４】
0003623691.tif 000005
【図５】
0003623691.tif 000006
【図６】
0003623691.tif 000007
【図７】
0003623691.tif 000008
【図８】
0003623691.tif 000009
【図９】
0003623691.tif 000010
【図１０】
0003623691.tif 000011
【図１１】
0003623691.tif 000012
【図１２】
0003623691.tif 000013
【図１３】
0003623691.tif 000014